(57)【要約】【課題】２つの相手コネクタが狭い間隔で対向配置されている場合でも、それらを中継して接続することが可能な中継コネクタを提供する。【解決手段】中継コネクタ１００は、第１コネクタ１と、第２コネクタ２と、電線４１と、ホルダプレート３１とを有している。ホルダプレート３１は、第１コネクタ１と第２コネクタ２とに取り付けられている。ホルダプレート３１は、中継コネクタ１００の挿抜方向に交差する方向において第１コネクタ１と第２コネクタ１との相対移動を許容している。【選択図】  図２
2019216096.tif 000002
【特許請求の範囲】
【請求項１】
第１端子を保持している第１コネクタと、
第１の方向において前記第１コネクタから離れており、且つ第２端子を保持している第２コネクタと、
前記第１端子と前記第２端子との間に配置され、それらを接続している、柔軟な導電体である中継導通部と、
前記第１コネクタに取り付けられている第１取付部と、前記第２コネクタに取り付けられている第２取付部とを有している少なくとも１つのホルダプレートと
を有し、
前記ホルダプレートは、前記第１の方向に対して交差する第２の方向での前記第１コネクタと前記第２コネクタとの相対移動を許容している
中継コネクタ。
【請求項２】
前記少なくとも１つのホルダプレートは、前記中継導通部を取り囲む複数のホルダプレートを含んでいる
請求項１に記載される中継コネクタ。
【請求項３】
前記第１コネクタは、前記第２の方向に向いている側面を有し、
前記第１コネクタは、前記側面に、前記第１取付部が取り付けられる前記第１ホルダプレート取付部を有し、
前記第１取付部と前記第１ホルダプレート取付部は、前記第２の方向において互いに固定されている
請求項１に記載される中継コネクタ。
【請求項４】
請求項１に記載される中継コネクタと、
前記第１コネクタが嵌合する第１相手コネクタと、
前記第２コネクタが嵌合する第２相手コネクタと、を有している
コネクタ組立体。
【発明の詳細な説明】
【技術分野】
【０００１】
本開示は、組となる印刷配線基板あるいは電子機器等の間を電気的に接続する中継コネクタと、その中継コネクタを用いたコネクタ組立体に関する。
【背景技術】
【０００２】
従来、組となる印刷配線基板間あるいは電子機器等の間を電気的に接続する場合、所定の長さの電線の両端にコネクタを接続してコネクタ付き中継ハーネスとし、印刷配線板あるいは電子機器に取り付けられた相手コネクタに接続することが行われている。柔軟な中継ハーネスを用いてその両端部に接続されたコネクタを自由に配置できるので、このようなコネクタ付き中継ハーネスを利用することは一般的に行われている。
【発明の概要】
【発明が解決しようとする課題】
【０００３】
昨今の印刷配線板や電子機器の小型化などにより、相手コネクタとの中継がごく狭い領域で対向して行われることが要求されることがある。
【０００４】
本開示は、組となる印刷配線基板や電子機器に設けられた相手コネクタが対向配置されるときに、それら相手コネクタの間の間隔が狭く対向して配置されていても、それらを中継して接続することが可能な中継コネクタと、その中継コネクタを用いたコネクタ組立体を提供することを目的とする。
【課題を解決するための手段】
【０００５】
本開示に係る中継コネクタは、第１端子を保持している第１コネクタと、第１の方向において前記第１コネクタから離れており、且つ第２端子を保持している第２コネクタと、前記第１端子と前記第２端子との間に配置され、それらを接続している、柔軟な導電体である中継導通部と、前記第１コネクタに取り付けられている第１取付部と、前記第２コネクタに取り付けられている第２取付部とを有している少なくとも１つのホルダプレートとを有している。前記ホルダプレートは、前記第１の方向に対して交差する第２の方向での前記第１コネクタと前記第２コネクタとの相対移動を許容している。
【０００６】
本開示に係るコネクタ組立体は、前記中継コネクタと、前記第１コネクタが嵌合する第１相手コネクタと、前記第２コネクタが嵌合する第２相手コネクタと、を有している。
【０００７】
本開示に係る中継コネクタとその中継コネクタを用いたコネクタ組立体においては、組となる印刷配線基板や電子機器等の間を近接させて対向して配置することができる。また、印刷配線基板（又は電子機器）に取り付けられている相手コネクタと、第１コネクタ又は第２コネクタとの嵌合作業をスムーズに行うことができる。
【図面の簡単な説明】
【０００８】
【図１】本実施の形態におけるコネクタ組立体の斜視図である。
【図２】本実施の形態における中継コネクタと他方の相手コネクタの斜視図である。
【図３】本実施の形態における中継コネクタの一部分解斜視図である。
【図４】本実施の形態における中継コネクタの一部分解斜視図である。
【図５】本実施の形態における中継コネクタの第１ハウジングの四面図であって、（ａ）はその上面図、（ｂ）は側面図、（ｃ）は下面図、（ｄ）は（ａ）におけるＤ−Ｄ矢視断面図である。
【図６】本実施の形態における中継コネクタの第２ハウジングの四面図であって、（ａ）はその上面図、（ｂ）は側面図、（ｃ）は下面図、（ｄ）は（ｃ）におけるＥ−Ｅ矢視断面図である。
【図７】本実施の形態における中継コネクタのハウジングホルダを構成するホルダプレートの二面図であって、（ａ）は正面図、（ｂ）は下面図である。
【図８】本実施の形態における中継コネクタの第１、第２端子とその端子に接続された電線の二面図であって、（ａ）は正面図、（ｂ）は側面図である。
【図９】本実施の形態におけるコネクタ組立のプラグコネクタの二面図であって、（ａ）は正面図、（ｂ）は側面図である。
【図１０】本実施の形態におけるコネクタ組立体の第１、第２コネクタと第１、第２相手コネクタの嵌合状態を示す図であって、図１におけるＡ−Ａ矢視断面図である。
【図１１】本実施の形態における中継コネクタの組立方法を示す斜視図である。
【図１２】本実施の形態における中継コネクタの、第１、第２ハウジングとハウジングホルダとの取付状態を示す組立図であって、（ａ）は第１ハウジングとハウジングホルダの組立図、（ｂ）は第２ハウジングとハウジングホルダの組立図である。
【図１３】本開示の他の実施の形態における中継コネクタのハウジングホルダを構成するホルダプレートの一部である。
【図１４】本開示の他の実施の形態における中継コネクタの第２ハウジングとハウジングホルダの組立図である。
【発明を実施するための形態】
【０００９】
以下、実施の形態について図面を参照しながら詳細に説明する。
【００１０】
図１は本実施の形態におけるコネクタ組立体の斜視図、図２は本実施の形態における中継コネクタと相手コネクタの斜視図、図３および図４は本実施の形態における中継コネクタの一部分解図である。
【００１１】
図１、図２において、２００は本実施の形態におけるコネクタ組立体であって、組となる印刷配線基板あるいは電子機器の一方に設けられた第１相手コネクタ５と、組となる印刷配線基板あるいは電子機器の他方に設けられた第２相手コネクタ６、および第１相手コネクタ５と第２相手コネクタ６を中継する中継コネクタ１００で構成されている。
【００１２】
第１相手コネクタ５および第２相手コネクタ６は、印刷配線基板あるいは電子機器等にその端子５１、６１が電気的に接続されるよう取付け固定されており、中継コネクタ１００が第１相手コネクタ５及び第２相手コネクタ６が取り付けられた基板あるいは電子機器等の間を中継して電気的に接続している。ここでは印刷配線基板あるいは電子機器等の図示は省略する。第１、第２相手コネクタ５、６が取り付けられる対象物は、例えば印刷配線基板であり、計測器、通信機、製造装置等の電子機器等にも用いることが可能である。
【００１３】
また、本実施の形態では第１、第２相手コネクタに装着される端子をプラグ端子として説明するが、それらがリセプタクル端子であってもよく、その場合後述の中継コネクタ１００を構成する第１コネクタ１、第２コネクタ２がプラグ端子により構成される。
【００１４】
また、本実施の形態において、コネクタ組立体２００及び中継コネクタ１００の各部の構成及び動作を説明するために使用される上、下、左、右、前、後、等の方向を示す表現は、絶対的なものでなく相対的なものであり、図に示される姿勢である場合に適切であるが、コネクタ組立体２００及び中継コネクタ１００の姿勢が変化した場合には姿勢の変化に応じて変更して解釈されるべきものである。
【００１５】
図２に中継コネクタ１００とその下方で嵌合する第２相手コネクタ６を示す。中継コネクタ１００は、上方に配置され第１相手コネクタ５（図２では省略）と嵌合する第１コネクタ１と、下方に配置され第２相手コネクタ６と嵌合する第２コネクタ２と、それ等を支持する複数のホルダプレート３１からなるハウジングホルダ３０、及びハウジングホルダ３０に囲まれて第１コネクタ１と第２コネクタ２を電気的に接続する中継導通部４０（本例においては電線４１）により全体として柱状になるよう構成され、上下方向である柱の芯（柱の中心線）の方向が第１相手コネクタ５、中継コネクタ１００及び第２相手コネクタ６との嵌合における挿抜方向となっている。本実施の形態としては、中継コネクタ１００は挿抜方向に直交する断面で六角形となる角柱状に形成されている。
【００１６】
第１コネクタ１は樹脂製六角柱状の第１ハウジング１０と、第１ハウジング１０に収容される端子４２とで構成され、第２コネクタ２はやはり樹脂製の六角柱状である第２ハウジング２０と、第２ハウジング２０に収容される端子４３とで構成されている。以下の実施の形態では相手の端子５１、６１をプラグ端子として説明するため端子４２、４３をリセプタクル端子４２、４３として説明するが、上述のように相手の端子がリセプタクル端子である場合、中継コネクタ１００側の端子がプラグ端子としてよい。
【００１７】
ハウジングホルダ３０を構成するホルダプレート３１と第１ハウジング１０とは、ホルダプレート３１の上方に設けられた第１取付部３２１と第１ハウジング１０の側面１１に設けられた第１ホルダプレート取付部１１１により、相対的な移動が規制されるよう取り付けられる。
【００１８】
そして、ホルダプレート３１と第２ハウジング２０とは、ホルダプレート３１の下方に設けられた第２取付部３２２と第２ハウジング２０の側面２１に設けられた第２ホルダプレート取付部２１１とにより、それぞれの相対的な移動が可能となるよう取り付けられている。
【００１９】
ハウジングホルダ３０は、３枚のホルダプレート３１によってその挿抜方向と直行する断面が全体として第１ハウジング１０と第２ハウジング２０と同様の断面である筒状になるように形成され、それにより中継コネクタ１００が全体として一つの柱状になるよう形成されている。
【００２０】
ハウジングホルダ３０の外周面は第１ハウジング１０及び第２ハウジング２０の外周面と同一面か、あるいは第１ハウジング１０及び第２ハウジング２０の外周面より若干細くなるようその外周面が形成されている。
【００２１】
ここで、中継コネクタ１００は六角柱に形成されているが、円柱状でも他の角数の角柱状に形成されてもよく、ハウジングホルダ３０の分割される数（ホルダプレート３１の数）も３枚に限定されない。角柱状とした場合は円柱状の場合よりコネクタの嵌め合わせの位置決めの点で有利である。
【００２２】
図３および図４に示すように、中継コネクタ１００は第１ハウジング１０に収容される複数のリセプタクル端子である第１端子４２と第２ハウジング２０に収容される複数のリセプタクル端子である第２端子４３が電線４１で電気的に導通接続されるよう構成されている。複数の電線４１は同じ長さで平行になるよう配され、その周りを複数のホルダプレート３１が筒状に囲み、第１ハウジング１０及び第２ハウジング２０がホルダプレート３１の挿抜方向両端側に取り付けられることで中継コネクタ１００として一体に構成される。これら部材の構成については後に詳述する。
【００２３】
図５乃至図８により、中継コネクタ１００を構成する部材について説明する。
【００２４】
図５は本実施の形態における中継コネクタ１００の第１コネクタ１を構成する第１ハウジング１０の四面図であって、（ａ）は図２における上側に向く上面図、（ｂ）は側面図、（ｃ）は図２における下側を向く下面図であって第１相手コネクタ５との嵌合面であり、（ｄ）は（ａ）におけるＤ−Ｄ矢視断面図であり、図６は本実施の形態における中継コネクタ１００の第２コネクタ２を構成する第２ハウジング２０の四面図であって、（ａ）は図２にける上側を向く上面図、（ｂ）は側面図、（ｃ）は図２における下側を向く下面図であって第２相手コネクタとの嵌合面であり、（ｄ）は（ｃ）におけるＥ−Ｅ矢視断面図である。そして図７は本実施の形態における中継コネクタ１００のハウジングホルダ３０を構成するホルダプレート３１の二面図であって、（ａ）は正面図、（ｂ）は下面図であり、図８は本実施の形態における中継コネクタ１００の第１、第２端子４２、４３とその端子に接続された電線４１の二面図であって、（ａ）は正面図、（ｂ）は側面図である。
【００２５】
図５に示すように、第１ハウジング１０は挿抜方向を芯（柱の中心線）とする六角柱状に形成され、六つの側面１１と第１相手コネクタと対向する嵌合面である上面１２及び電線４１の側である下面１３により六角柱状となっている。上面１２には第１相手コネクタ５０のプラグ端子である第１相手端子５１（図１０参照）が挿通する端子挿通孔１２１が複数形成され、下面１３には第１端子４２（図８参照）および電線４１が挿通する端子挿通孔１３１が端子挿通孔１２１の位置に合わせて形成されている。
【００２６】
下面１３は挿抜方向に対して直交する平面状に形成され、後述のホルダプレート３１の支持板３３の長手方向上方端縁である第１支持端縁３３１（図７参照）が当接する。この下面１３と第１支持端縁３３１が当接することにより、第１ハウジング１０がハウジングホルダ３０に挿抜方向で支持される。
【００２７】
第１ハウジング１０の内部には、端子挿通孔１２１と端子挿通孔１３１をつないで第１ハウジング１０を貫通する端子収容通孔１５が形成されている。端子収容通孔１５にはまた、リセプタクル端子４２に形成された突片４２５（図８参照）と係合して第１端子４２を第１ハウジング１０内に保持するランス１４が、ランス形成孔１２２あるいはランス形成横孔１１５を利用して形成されている。
【００２８】
ホルダプレート３１の第１取付部３２１が取り付けられる第１ホルダプレート取付部１１１は、六つの側面１１の一つおきで三面に形成されている。第１ホルダプレート取付部１１１は、下面１３側に開放するＴ字状の第１アーム収容凹部１１２と、その第１アーム収容凹部１１２の上下方向の対向する縁から側面１１に沿って伸びる一対の第１アーム押さえリブ１１３で構成されている。第１アーム収容凹部１１２の側面１１からの深さはホルダプレート３１の厚みと同じかそれより深く形成される。
【００２９】
第１アーム押さえリブ１１３は、挿抜方向下側が下面１３に面一で第１アーム収容凹部１１２をその縁から若干はみ出して覆い、上方では第１アーム収容凹部１１２の側凹部１１２ａ手前まで形成され、下側より第１アーム収容凹部１１２を覆う量が増すよう、すなわち、対向する第１アーム押さえリブ１１３の内側縁部１１３ａの間隔が上方へ向かって狭くなるようテーパ状に形成されている。第１アーム押さえリブ１１３の第１アーム収容凹部１１２を覆う部分は第１アーム取付溝１１４となっており、後述するホルダプレート３１の第１アーム３２３が進入するようになっている。
【００３０】
第１アーム収容凹部１１２にはランス形成横孔１１５が設けられ、この側面１１に位置するランス１４を形成するのに用いられている。
【００３１】
図６に示すように、第２ハウジング２０は第１ハウジング１０と同様、挿抜方向を芯（柱の中心線）とする六角柱状に形成され、六つの側面２１と第２相手コネクタ６０と対向する嵌合面である下面２２及び電線４１の側である上面２３により六角柱状となっている。下面２２には第２相手コネクタ６０の第２相手端子６１（図１０参照）が挿通する端子挿通孔２２１が複数形成され、上面２３には第２端子４３（図８参照）および電線４１が挿通する端子挿通孔２３１が端子挿通孔２２１の位置に合わせて形成されている。
【００３２】
上面２３は挿抜方向の芯に対して直交する平面状に形成され、後述のホルダプレート３１の支持板３３の長手方向下方端縁である第２支持端縁３３２（図７参照）が当接する。この上面２３と第２支持端縁３３２が当接することにより、第２ハウジング２０が挿抜方向に移動したとき、ハウジングホルダ３０により挿抜方向で上方への移動が規制される。上述したように、支持板３３の第１支持端縁３３１は第１ハウジング１０の下面１３と当接する。そのため、ホルダプレート３１は、第１コネクタ１と第２コネクタ２０との距離が所定の大きさ（より具体的には、支持板３３の上下方向での幅）よりも小さくなることを制限する。
第２ハウジング２０の内部には、端子挿通孔２２１と端子挿通孔２３１をつないで第２ハウジング２０を貫通する端子収容通孔２５が形成されている。端子収容通孔２５にはまた、第２端子４３に形成された突片４２５（図８参照）と係合して第２端子４３を第２ハウジング２０内に保持するランス２４が、ランス形成孔２２２あるいはランス形成横孔２１５を利用して形成されている。
【００３３】
ホルダプレート３１の第２取付部３２２が取り付けられる第２ホルダプレート取付部２１１は、六つの側面２１の一つおきで三面に形成されている。第２ホルダプレート取付部２１１は、上面２３側から離れた位置に形成された矩形状の第２フック部収容凹部２１２と、上面２３との間の第２フックアーム押さえ２１３とで構成されている。第２フックアーム押さえ２１３には、ホルダプレート３１の第２取付部３２２を構成する第２フックアーム３２８（図７参照）が挿通される第２フックアーム挿通孔２１４が形成されている。第２フックアーム挿通孔２１４の図６（ｂ）における横幅は、第２フック部収容凹部２１２の横幅より小さくなっており、第２フック部収容凹部２１２の上側端部と第２フックアーム挿通孔２１４の下側端部が形成する段差に、後述するホルダプレート３１の第２フック部３２９（図７参照）が引っかかるよう構成されている。
【００３４】
また、第２フックアーム挿通孔２１４の幅は一対の第２フックアーム３２８の外幅より若干大きい。このことは、第２弾性アーム３２７の弾性による撓みとともに、ホルダプレート３１と第２ハウジング２０の横方向への相対的な移動を許容する。このことによって、中継コネクタ１００の挿抜方向に対して交差する方向（横方向）において、第１コネクタ１と第２コネクタ１の相対移動が許容される。このことによって、印刷配線基板（又は電子機器）に取り付けられている相手コネクタ５、６と、第１コネクタ１又は第２コネクタ２との嵌合作業をスムーズに行うことができる。第２フックアーム挿通孔２１４の奥行きは、第２フックアーム３２８の板厚とほぼ同じで第２フックアーム３２８が挿通できるものとし、第２ハウジング２０とホルダプレート３１との板厚方向の相対的移動を規制する。
【００３５】
第２フックアーム挿通孔２１４の奥側の面と第２フック部収容凹部２１２の面とは同一面で連続して形成され、側面２１からの深さはやはりホルダプレート３１の厚みと同じかそれより深く形成されている。
【００３６】
第２フック部収容凹部２１２にはランス形成横孔２１５が設けられ、この側面２１に位置するランス２４を形成するのに用いられている。
【００３７】
図７に示すように、ハウジングホルダ３０を構成する複数のホルダプレート３１は、縦長薄板に長手方向の曲げ加工を行うことにより３つの平面を構成するよう形成され、上方の第１取付部３２１と下方の第２取付部３２２が形成された取付板３２と、その両側に平行に形成された支持板３３で構成されている。取付板３２と支持板３３は約１２０度に曲げられ、図７（ｂ）に示される支持板３３の幅は取付板３２の幅に対し半分より小さくされている。ハウジングホルダ３０はホルダプレート３１を３枚用いて六角の筒状に配置されるよう組み立てられるが、支持板３３の幅を取付板３２の幅の半分より小さくすることで、組立てたときに隣り合うホルダプレート３１の間には若干の隙間Ｓが形成される（図１、図２参照）。このこのようにハウジングホルダ３０が３枚のホルダプレート３１により分割された構成にすることにより、中継コネクタ１００を組み立てる際の作業が容易となる。ホルダプレート３１は例えば金属によって形成され、少なくとも中継コネクタ１００の挿抜方向においては中継導通部４０（本例において電線４１）よりも高い剛性を有する。ホルダプレート３１は樹脂によって形成されてもよい。中継コネクタ１００の組立については後に詳述する。
【００３８】
取付板３２の上方に形成された第１取付部３２１は、打ち抜き加工により、取付板３２の上方端縁の中央に形成された切り欠き３２３ａおよび一対の切り欠き３２３ｂと、その切り欠きにより上方端縁より若干入り込んだ位置から挿抜方向上方へ伸びた一対の第１アーム３２３で構成されている。一対の第１アーム３２３は、その外側の縁部３２３ｃの間隔が同じとなるよう挿抜方向と平行に伸び、内側の縁部３２３ｄの間隔が上方へ伸びるにしたがって広くなるようテーパ状に形成されている。
【００３９】
そして、第１アーム３２３の先端には各々が外側へ凸状となる第１フック部３２４が設けられている。この第１フック部３２４は、第１アーム３２３が第１アーム収容凹部１１２へ取付られたとき側凹部１１２ａに収容され、ホルダプレート３１の抜け止めとして作用する。第１フック部３２４には、一対の第１アーム３２３を内側に撓ませて第１ハウジング１０の第１ホルダプレート取付部１１１に取付るための工具用の孔である操作孔３２４ａがそれぞれ形成されている。
【００４０】
支持板３３の上端縁である第１支持端縁３３１は挿抜方向に直交する面内に配置されるよう形成され、３枚のホルダプレート３１により六角筒状のハウジングホルダ３０となったとき六角形の平面を形成し、上述のように第１ハウジング１０の下面１３と当接する（図１２参照）。
【００４１】
取付板３２の下方に形成された第２取付部３２２は、打ち抜き加工により、挿抜方向で取付板３２のほぼ中央にまで切りかかれた縦長の切り欠き部３２６と、その切り欠き部３２６の中央から延出された第２弾性アーム３２７と、第２弾性アーム３２７の下方に形成された一対の第２フックアーム３２８で構成されている。第２弾性アーム３２７と一対の第２フックアーム３２８はともに板厚方向および板幅方向に弾性変形可能であり、第１取付部３２１の第１アーム３２３よりも幅狭く形成するなどして、より柔軟に形成する。
【００４２】
一対の第２フックアーム３２８は支持板３３の下端である第２支持端縁３３２より下方へ突出して形成され、その先端部には、第２ハウジング２０の第２フックアーム挿通孔２１４を通って第２収容凹部２１２へ収容される第２フック部３２９が形成されている。第２フック部３２９は、その上縁部が第２フックアーム３２８の外側に突出するよう形成され、その第２フック部３２９の両外側には第２フックアーム挿通孔２１４を通過する際に一対の第２フックアーム３２８の間隔がすぼまるよう撓ませるテーパ３２９ａが形成されている。
【００４３】
ここで、第２フック部３２９の上縁部と第２支持端縁３３２の距離をＬ２とすると、その距離は第２フックアーム押さえ２１３の上下方向の距離Ｌ１（図６参照）より大きくする。
【００４４】
支持板３３の下縁部の第２支持端縁３３２は第１支持端縁３３１と同様、挿抜方向に直交する面内に配置されるよう形成され、３枚のホルダプレート３１により六角筒状のハウジングホルダ３０となったとき六角形の平面を形成し、上述のように第２ハウジング２０が挿抜方向上方に移動したとき、ハウジングホルダ３０により挿抜方向で移動が規制される（図１２参照）。
【００４５】
図８に示すように、本実施の形態における中継導通部４０としての電線４１は、その両端にリセプタクル端子であり第１コネクタ１を構成する第１端子４２と、同じくリセプタクル端子であり第２コネクタを構成する第２端子４３が接続されている。本実施の形態では第１端子４２と第２端子４３は同形状として説明する。第１、第２端子４２、４３はその本体部４２２に、棒状の第１、第２相手端子５１、６１を挟んで導通接触する一対の接触片４２１と、電線４１の芯線４１１を圧着して接続する芯線圧着部４２３と、電線４１の被覆４１２を圧着する被覆圧着部４２４とが形成されている。
【００４６】
第１、第２端子４２、４３にはまた、第１ハウジング１０及び第２ハウジング２０に取り付けられたときにそれぞれのランス１４、２４と係合して第１、第２端子４２、４３を各々のハウジング１０、２０内に保持する突片４２５が形成されている。
【００４７】
図９は本実施の形態におけるコネクタ組立体の相手コネクタとしてのプラグコネクタの二面図であって、（ａ）は正面図、（ｂ）は側面図である。図９により本実施の形態における第１、第２相手コネクタを説明するが、本実施の形態においては第１相手コネクタ５と第２相手コネクタ６は同形状のプラグコネクタとして説明する。
【００４８】
第１、第２相手コネクタ５、６は第１、第２相手ハウジング５０、６０と第１、第２相手端子５１、６１で構成されている。第１、第２相手ウジング５０、６０は例えば中継コネクタ１００のハウジング１０、２０が嵌合する嵌合凹部５２、６２を有し、その縁にはハウジング１０、２０が挿入される際に誘いとなる傾斜部５２ａ、６２ａが形成されている、そして、その底部５３、６３に形成された端子取付孔５３ａ、６３ａ（図１０参照）に第１、第２端子５１、６１が取り付け固定されている。第１、第２端子５１、６１は端子テール部５４、６４が外部へ露出し、搭載される回路基板や電子機器と端子テール部５４、６４により電気的に導通接続される。
【００４９】
図１０はコネクタ組立体２の第１コネクタ１と第１相手コネクタ５の嵌合状態を示す図であって、図１におけるＡ−Ａ矢視断面図である。本実施の形態では第１、第２コネクタ１、２と第１、第２相手コネクタ５、６の嵌合状態は同様となっているため、図１０において、第１コネクタ１と第１相手コネクタ５の嵌合状態と、第２コネクタ２と第２相手コネクタ６の嵌合状態とを表す。
【００５０】
中継導通部４０としての電線４１が接続された第１端子４２は、第１ハウジング１０の下方より、第１ハウジングの下面１３に形成された端子挿通孔１３１（図５参照）より第１ハウジング内に挿通されて、端子収容通孔１５内に収容される。その際第１端子４２に形成された突片４２５がランス１４の下面側に形成された傾斜部を押しながら端子収容通孔１５に進入する。収容完了位置ではランス１４は突片４２を乗り越え元の位置に戻り、突片４２と係合する。それにより第１端子４２は端子収容通孔１５内に抜け止めされる。
【００５１】
電線４１が取り付けられた第１コネクタ１を第１相手コネクタ５の第１ハウジング５０に形成された嵌合凹部５２に嵌合させると、第１相手端子５１が第１ハウジング１０の上面１２に設けられた端子挿通孔１２１（図５参照）より端子収容通孔１５に進入する。そうすると第１端子４２の接触片４２１は第１相手端子５１を挟んで接触する。
【００５２】
図１１は本実施の形態における中継コネクタの組立方法を示す斜視図であり、図１２は本実施の形態における中継コネクタ１００の、第１、第２ハウジング１０、２０とハウジングホルダ３０との取付状態を示す図であって、（ａ）は第１ハウジング１０とハウジングホルダ３０の組立図、（ｂ）は第２ハウジング２０とハウジングホルダ３０の組立図である。図３、図１１及び図１２により本中継コネクタ１００の組立を説明する。
【００５３】
Ａ：中継導通部４０と第１、第２コネクタの組立を、図３を基に説明する。
【００５４】
まず、導通させようとする回路にあわせた極数の第１、第２端子４２、４３と、同極数で所定の長さにそろえた被覆付き電線４１を用意し、電線４１の上下端に第１端子４２と第２端子４３を圧着により導通接続するよう取り付ける。
【００５５】
中継導通部４０としては、この実施の形態に限らず柔軟な線状の導電体でよく、適当な絶縁手段をとれば被覆電線でなくとも板状、丸棒状の金属線でもよい。また、第１、第２端子もリセプタクル端子に限らずプラグ端子としてよく、その場合相手端子をリセプタクル端子とすればよい。
【００５６】
また、中継導通部４０と第１、第２端子４２、４３が別体でなくともよく、例えば第１、第２端子を棒状のプラグ端子とした場合など、端子と中継導通部は一本の線状の導体で形成できることとなるし、板状導体からプレス成型等でリセプタクル端子と中継導通部を一体として形成することもできる。
【００５７】
次に中継導通部４０に取り付けた上側の第１端子４２を、上述したように第１コネクタハウジング１０に取り付ける。同様に、中継導通部４０の下側に取り付けた第２端子４３を、第２コネクタハウジング２０の上面２３に設けられた端子挿通孔２３１から端子収容通孔２５に収容し、ランス２４で突片４２５が係止されるよう取り付ける。このとき、電線４１の長さがそろえられているので、第１ハウジング１０の下面１３と第２ハウジング２０の上面２３はほぼ平行となる。
【００５８】
ここで、電線４１の長さは、第１ハウジング１０の下面１３と第２ハウジング２０の上面２３の間隔が、ホルダプレート３１の支持板３３の第１支持端縁３３１と第２支持端縁３３２の距離よりも若干長く（例えば後述の隙間Ｇ１、Ｇ３）なるようにしておく。この第１ハウジング１０の下面１３と第２ハウジング２０の上面２３の間隔と、ホルダプレート３１の支持板３３の第１支持端縁３３１と第２支持端縁３３２の距離との差を調整することにより第２ハウジング２０がハウジングホルダ３０に対しどのくらい柔軟に可動状態とするか調整することができる。その点については後に詳述する。
【００５９】
Ｂ：ハウジングホルダ３０の取付方法を、図１１及び１２を基に説明する。
【００６０】
組み立てられた第１コネクタ１、中継導通部４０及び第２コネクタ２に１枚のホルダプレート３１を取り付けるために、まず第２ハウジング２０の第２ホルダプレート取付部２１１にホルダプレート３１の第２取付部３２２を取り付ける。この場合、組み立てられた第１ハウジング１０、中継導通部４０及び第２コネクタハウジング２０にほぼ平行にホルダプレート３１を配置し、ホルダプレート３１を上方へ移動させて第２取付部３２２の第２フック部３２９先端を、矢印Ｘで示すように第２フックアーム挿通孔２１４へ進入させる。このとき第１取付部３２１は第１ハウジング１０の第１ホルダ取付部１１１の外側に位置するためホルダプレート３１の上方が外側に向かって斜めになるが、第２取付部３２２の第２弾性アーム３２７が柔軟に変形するので第２フック部３２９先端を第２フックアーム挿通孔２１４へ進入させることができる。
【００６１】
次に、ホルダプレート３１を下方に移動させて第２フック部３２９を第２フックアーム挿通孔２１４内に通す。このときテーパ３２９ａにより一対の第２フックアーム３２８の間隔が狭められ、第２フック部３２９が第２フックアーム挿通孔２１４内を挿通可能となる。その後第２フック部３２９が完全に第２フック部収容凹部２１２に収容されると、第２フック部３２９が第２フックアーム押さえ２１３から外れて一対の第２フックアーム３２８の間隔が元に戻り、第２フック部３２９が第２フックアーム押さえ２１３の下縁部、すなわち上述の第２フック部収容凹部２１２の上側端部と第２フックアーム挿通孔２１４の下側端部が形成する段差に引っかかり、第２ハウジング２０とホルダプレート３１が互いに抜け止めされる。
【００６２】
このとき、第２フック部３２９の上縁部と第２支持端縁３３２の距離Ｌ２（図１２（ｂ））は、第２支持端縁３３２が第１ハウジングの上面２３に当接しても第２フック部３２９が第２フックアーム押さえ２１３の下側縁部からさらに下がって外れるようＬ１に対して若干大きくするが、本実施の形態においては、Ｌ２をこの取り付けのための大きさに加えて所定量さらに大きくしておく。すなわち、Ｌ２とＬ１の差による隙間Ｇ１を第２ハウジング２０のハウジングホルダ３０に対する変位可能量として、その大きさを調整する。
【００６３】
残る２枚のホルダプレート３１を同様に取り付ける。
【００６４】
このとき、ホルダプレート３１が下方に下がり、第２支持端縁３３２が第２ハウジング２０の上面２３に当接して支持された状態では、ホルダプレート３１の第１取付部３２１は第１ハウジング１０の第１ホルダプレート取付部１１１に対してほぼＧ１だけ下がった位置で第１ホルダプレート取付部１１１の外側に配置される。
【００６５】
次に、同じく図１１及び図１２を基にホルダプレート３１の第１取付部３２１を第１ハウジング１０の第１ホルダプレート取付部１１１に取り付ける方法を説明する。
【００６６】
第１取付部３２１は弾性変形可能であり、まず第１取付部３２１を変形させて、中継コネクタ１の挿抜方向において交差する方向で第１取付部３２１と第１ホルダプレート取付部１１１とを互いに固定する。詳細には、ホルダプレート３１の一対の第１アーム３２３に設けられた第１フック部３２４の操作孔３２４ａにピンセットのような先細工具を差込み、一対の操作孔３２４ａの間隔を狭める。そうすると、一対の第１アーム３２３がその根元を中心としてそれぞれ内側へ回転しそれぞれの外側縁部３２３ｃが接近してその間隔が狭まる。そして、外側縁部３２３ｃの間隔が、第１ハウジング１０の第１アーム押さえリブ１１３の一対のテーパ１１３ａの間隔より小さくなったところで第１アーム３２３を矢印Ｙの方向へ移動させ第１アーム収容凹部１１２へ収容する。このとき、ホルダプレート３１の支持板３３の上端縁である第２支持端縁３３２は第１ハウジング１０の下面１３より下側に位置させ、側面１１の下縁に当たらないようにする。
【００６７】
第１アーム３２３が第１アーム収容凹部１１２へ収容されたところで工具を操作孔３２４ａから外して一対の第１アーム３２３の間隔が狭まっていたのを開放し、第１フック部３２４を第１収容凹部１１２の側凹部１１２ａへ収容する。このとき、解放されてもとの間隔に戻った一対の第１アーム３２３はそれぞれ第１アーム押さえリブ１１３と第１アーム収容凹部１１２で形成された第１アーム取付溝１１４に進入する。一対の外側縁部３２３ｃ（図７参照）の間隔を、第１アーム押さえリブ１１３の範囲で第１アーム収容凹部１１２の下側の矩形部分の幅とほぼ同じ寸法とすることで、ホルダプレート３１と第１ハウジング１０の、図１２における横方向のガタを抑えることができる。
【００６８】
また、第１アーム取付溝１１４の奥行きは第１アーム３２３の板厚とほぼ同じで第１アームが自由に挿通できるものとし、一対の第１アーム３２３が第１アーム取付溝１１４に進入することで、第１アーム押さえリブ１１３により第１アーム３２３の外側への移動が規制される。そして、第１フック部３２４が側凹部１１２ａへ収容されることで、第１フック部３２４の下縁部が側凹部１１２ａの下縁部に係止されて、第１アーム３２３が第１ハウジング１０と抜け止めされる。
【００６９】
図５、図６（ｂ）、図７、及び図１２に示すように、ホルダプレート３１の第１支持端縁３３１と第１フック部３２４の下縁部との間隔Ｌ４（図１２参照）は第１アーム押さえリブ１１３の上下方向の寸法Ｌ３（図１２参照）よりも若干大きく、第２支持端縁３３２が第１ハウジング１０の下面１３に接している状態で第１フック部３２４の下縁部と第１アーム押さえリブ１１３の上縁部との間に隙間Ｇ２ができている。この隙間Ｇ２はホルダプレート３１の第１取付部３２１を第１ハウジング１０の第１ホルダ取付部１１１に取り付ける際に必要な隙間で、できるだけ小さくすることで第１ハウジング１０とホルダプレート３１の間に生じるがたつきを少なくすることがでる。
【００７０】
同様に、残る２枚のホルダプレート３１の第１取付部３２１を第１ハウジング１０の第１ホルダ取付部１１１に取り付けることで、３枚のホルダプレート３１が筒状のハウジングホルダ３０を形成する。そして、上記のように隙間Ｇ２を極小さな隙間とすることで個々のホルダプレート３１と第１ハウジング１０とのがたつきを極小さなものとし、３枚のホルダプレート３１が筒状のハウジングホルダ３０となることで、ハウジングホルダ３０と第１ハウジング１０のがたつきをほぼ無くしてお互いがほぼ固定された状態で支持される。
【００７１】
上述のように第１ハウジング１０の下面１３と第２ハウジング２０の上面２３の距離（電線４１によって規定される長さ）が、ホルダプレート３１の支持板３３の第１支持端縁３３１と第２支持端縁３３２の距離よりも若干長くなるように設定する。中継コネクタ１００の組み立てが完了した状態で第１の取付部の隙間Ｇ２を極小さくして無視すると、隙間Ｇ１がその長さの差となる。
【００７２】
本実施の形態では、中継コネクタ１００が組みあがった状態では、第１コネクタとハウジングホルダ３０の間にガタはほとんどなく、第２コネクタ２とハウジングホルダ３０の間で上記隙間Ｇ１の分のガタがあることになる。
【００７３】
そして、第１コネクタ１と第２コネクタ２に収容された第１端子４２と第２端子４３を接続する電線４１が柔軟なことから、第２コネクタ２はハウジングホルダ３０に対して隙間Ｇ１の範囲で挿抜方向に移動可能となる。また、電線４１の柔軟性を利用して、第２コネクタ２は挿抜方向と交差する方向に移動可能であり、本実施の形態では、その移動が許容される範囲は電線４１がホルダプレート３１の内面に当接するまでとなる。
【００７４】
本実施の形態では、前述のように中継コネクタ１００を小型化するため、ハウジングホルダ３０の外周面を第１、第２ハウジング１０、２０の側面１１、２１と同じか細くなるよう構成している。
【００７５】
ハウジングホルダ３０を分割せずに一体の筒状とする場合は、第１コネクタ１あるいは第２コネクタ２のいずれかのハウジングに端子付きの中継導通部４０を取り付けておき、中継導通部４０を筒状のハウジングホルダ３０に通してハウジングホルダ３０の一端側と中継導通部４０が取り付けられたコネクタハウジングを取り付ける。そして、その後に残った第２コネクタ２、あるいは第１コネクタ１のハウジングを、端子をハウジングに取り付けながらハウジングホルダ３０の他端側をそのハウジングに取り付けることができる。
【００７６】
また、本実施の形態のように、ハウジングホルダ３０を分割して複数のホルダプレート３１とし、ホルダプレート３１の下側を第２コネクタ２の第２ハウジング２０の上面２３に挿抜方向上方から差し込むように取りつけ、ホルダプレート３１の上側を第１コネクタ１の第１ハウジング１０の側面１１の外側から取り付けるようにすると、あらかじめ第１コネクタ１、中継導通部４０と第２コネクタ２をあらかじめ組み立てておくことがでる。すなわち、本実施の形態のようにすることで、作業性よくホルダプレート３１の表面が第１、第２ハウジング１０、２０の側面１１、２１と同じか内側に配置でき、すなわちハウジングホルダ３０を第１、第２コネクタ１、２と同じかあるいは、より細い筒状に配置することができる。
【００７７】
なお、本実施の形態とは逆に、固定側である第１コネクタ１に対してホルダプレート３１の第１取付部３２１を挿抜方向に差し込み、可動側である第２コネクタ２に対してホルダプレート３１の第２取付部３２２を側面２１外側から取り付けるようにしてもよい。
【００７８】
また、ハウジングホルダ３０を構成する材料は本実施の形態の金属板の他に、硬さのある樹脂の板を用いることができる。
【００７９】
次に、このように構成された中継コネクタ１００を用いて組となる印刷配線基板あるいは電子機器を接続する行程を、作業者によるものとして説明する。
【００８０】
相手コネクタ５及び相手コネクタ６は、それぞれ対向する印刷配線基板あるいは電子機器等にその端子５１、６１の端子テール部５４、６４が接続されてその嵌合凹部５２、６２が対向して配置されるものとし、印刷配線基板あるいは電子機器等の図示を省略する。
【００８１】
まず作業者は、第１コネクタ１と第１相手コネクタ５を嵌合させる。
【００８２】
作業者は、筒状に形成されたハウジングホルダ３０を持って第１コネクタ１の第１ハウジング１０を第１相手コネクタ５の嵌合凹部５２に嵌合させ、第１相手端子５１と第１端子４２を接続させる。このとき、第１ハウジング１０の上面１２の縁が第１相手コネクタ５の嵌合凹部５２の縁に形成されたガイド傾斜部５２ａにより誘われて、第１ハウジング１０が嵌合凹部５２へ進入する。
【００８３】
第１ハウジング１０の下面１３とハウジングプレート３１の第１支持端縁３３１の間にガタがほぼ無い状態でハウジングプレート３１が第１ハウジング１０に取り付けられ、第１コネクタ１とハウジングホルダ３０はほぼ固定されて取り付けられているため、ハウジングホルダ３０を持って容易に嵌合作業を行うことができる。また、例えば相手コネクタ５が電子機器の凹部などのように表面から奥に引っ込んだ状態で取り付けられていても、ハウジングホルダ３０を持って作業できることで、挿入作業が容易になる。
【００８４】
次に作業者は、第２コネクタ２と第２相手コネクタ６とを嵌合させる。
【００８５】
作業者は、第２相手コネクタ６が取り付けられた印刷配線基板あるいは電子機器等を接続させるよう、第２相手コネクタ６の嵌合凹部６２を第２コネクタ２に向けて進めてゆく。このとき、第２相手コネクタ６と第２コネクタ２の挿抜方向と交差する方向の位置が若干ずれたとしても、第２ハウジング２０の下面２２の縁が第２相手コネクタ６の嵌合凹部６２の縁に形成されたガイド傾斜部６２ａにより誘われて、第２ハウジング２０が嵌合凹部６２へ進入する。
【００８６】
前述のように、第２ハウジング２０とホルダプレート３１は、その上面２３と第２支持端縁３３２の間に隙間Ｇ１が形成されるよう取り付けられ、第２弾性アーム３２７が柔軟に撓むため、ハウジングホルダ３０と第２コネクタ２が挿抜方向と交差する方向に対し移動可能となり、第２相手コネクタ６がずれて挿抜方向へ移動しても第２コネクタがそのずれに追従でき、嵌合作業が円滑に行えるとともに、挿入完了後にも相手コネクタ６の位置ずれが中継コネクタ１００に対し負荷となることは無い。
【００８７】
また、第２相手コネクタ６を第２コネクタ２へ嵌合するとき、電線４１が柔軟なためその挿入力により第２ハウジング２０がホルダプレート３１との隙間Ｇ１が無くなるように押されて第２支持端縁３３２と当接する。ホルダプレート３１は、中継コネクタ１００の挿抜方向において中継導通部４０よりも高い剛性を有する。そのため、第２相手コネクタ６の嵌合時には、中継コネクタ１００は、第１コネクタ１と第２コネクタ２がハウジングホルダ３０に支持されて、第２相手コネクタ６を嵌合する方向に対し剛性を持つこととなる。そのため、作業者が他方の印刷配線基板あるいは電子機器等を押し込む作業において、確実に嵌合作業を行うことができる。
【００８８】
次に、嵌合状態にある第１相手コネクタ５、中継コネクタ１００及び第２相手コネクタ６の接続状態を解除、すなわちコネクタの嵌合を抜去により解除するときの行程を説明する。コネクタ組立体２００が篏合されている時にその篏合を解除するには、第２相手コネクタ６が引かれるように印刷配線基板や電子機器等を引く。第２相手コネクタ２が引かれて中継コネクタ１００から離れようとすると、第１ハウジング１０の第１ホルダプレート取付部１１１とホルダプレート３１の第１取付部３２１の抜け止めと第２ハウジング２０の第２ホルダプレート取付部２１１とホルダプレート３１の第２取付部３２２の抜け止めの作用により、第１相手コネクタ５と第１コネクタ１あるいは第２相手コネクタ６と第２コネクタ２のどちらかが先に抜去されることになる。
【００８９】
この場合、例えば第１コネクタ１のリセプタクル端子４２の接触圧を第２コネクタ２のリセプタクル端子４２の接触圧より高くしておくと、第２コネクタ２と第２相手コネクタ６の嵌合が先に解除され、中継コネクタ１００は第１相手コネクタ５側に嵌合状態で残ることとなる。
【００９０】
一つの印刷配線基板あるいは電子機器等で本実施の形態による接続を複数行う場合、このようにどちらかの嵌合が先に解除されるように決めておくと、片側に嵌合した状態の中継コネクタをとどめておくことができるので、メインテナンス作業などで嵌合を解除させ、再び嵌合させるようなときに作業性が良くなる。
【００９１】
以上に述べた実施の形態では、第１のコネクタ１とハウジングホルダ３０をほぼ固定した状態で取り付け、第２のコネクタ２とハウジングホルダ３０を可動状態に取り付けることとしたが、第１相手コネクタ５と第２相手コネクタ６の、挿抜方向と交差する方向でのずれをさらに許容するため、隙間Ｇ２を隙間Ｇ１と同様にして、ハウジングホルダ３０に対し第１、第２コネクタ１、２が同じようにガタを持つようにしてもよい。
【００９２】
また、本実施の形態では第１コネクタ１の第１端子４２と第２コネクタ２の第２端子４３を電線４１で接続して導通させたが、中継導通部４０は柔軟性のある導体であればよく、プレス成型などにより第１端子４２、中継導通部４０及び第２端子４３を連続させて一体に形成することも可能である。
【００９３】
次に、図１３および図１４により本開示の他の実施の形態を説明する。前述の実施の形態と同じ構成には同一の符号を付すことによりその説明を省略する。
【００９４】
他の実施の形態では、ホルダプレート３１に形成された一対の第２フックアーム３２８に突片８３２ａを設けている。
【００９５】
突片３２８ａは、第２フックアーム３２８からそれぞれ外側に向かって延出された矩形状の突片で、その下縁部と第２フック部３２９の上縁との距離がＬ５（図１３参照）となるよう形成されている。この距離Ｌ５は、第２フック部３２９が第２フックアーム押さえ２１３の下端部に掛かって第２フックアーム３２８が第２ハウジング２０に対し抜け止めとなるのに必要なだけ第２フックアーム押さえ２１３の上下方向の寸法Ｌ１より若干大きくなっているが、取り付けにガタを持たせない場合はほぼ同じ大きさとすることができる。そして、突片３２８ａの下縁部は支持板３３の下縁部である第２支持端縁３２２から距離Ｌ６だけ下方に位置するよう形成されている。
【００９６】
次に、第２フックアーム３２８にこの突片３２８ａが形成されたホルダプレート３１を第２ハウジング２０に取り付けたときの作用について説明する。取り付けの行程は前述の実施の形態と同じである。
【００９７】
第２フック部３２９を上面２３側から第２フックアーム挿通孔２１４に差し込んで、第２フック部３２９の上縁部が第２フックアーム挿通孔２１４の下側に出ると、第２フック部３２９とその上縁部が第２フック部収容凹部２１２へ進入する。そうすると、すぼんでいた一対の第２フックアーム３２８がもとの間隔に広がり、第２フック部３２９が第２フックアーム押さえ２１３の下縁部に引っかかる。そして、それと同時に突片３２８ａの下縁部が第２フックアーム挿通孔２１４上側の縁の上面２３に掛かって、第２フックアーム３２８が第２フックアーム挿通孔２１４へ進入するのを停止し、ホルダプレート３１のハウジング２０側への移動が停止する。このとき、上述のように距離Ｌ５と距離Ｌ１はほぼ等しいことから、第２フックアーム３２８とハウジング２０はガタ無くほぼ固定された状態となる。そして、ハウジング２０の上面２３とホルダプレート３１の第２支持端縁３３２との間には距離Ｌ６の隙間Ｇ３が形成される。
【００９８】
上述において突片３２８ａを矩形状として説明したが、突片は矩形状である必要はなく、第２フック部３２９とともに第２アーム挿通孔２１４の上方及び下方から上面２３及び第２アーム押さえ２１３の下端部に掛かり、第２フックアーム３２８と第２ハウジング２０を、挿抜方向にほぼ固定する構成であればよい。
【００９９】
この実施の形態では、第２コネクタ２とハウジングホルダ３０の、挿抜方向に交差する方向の相対的な移動はこの隙間Ｇ３により可能となる。すなわち、第２フックアーム３２８と第２ハウジング２０は挿抜方向でほぼ固定されるが、第２フックアーム３２４の突片３２８ａより上方及び第２弾性アーム３２７が弾性的に撓むことから、この隙間Ｇ３により、第２ハウジング２０とホルダプレート３１は挿抜方向に交差する方向へ相対的に移動できる。また、第２フックアーム３２４の突片３２８ａより上方及び第２弾性アーム３２７の弾性的な撓みにより、挿抜方向への相対的な移動も許容される。この実施の形態では、前述の実施の形態のような隙間Ｇ１による第２ハウジング２０とホルダプレート３１の間の挿抜方向への相対的な移動は無いが、隙間Ｇ３により第２ハウジングの上面２３と第２支持端縁３３２が常に離間しているため、上面２３と第２支持端縁３３２のこすれによる負荷が無くなり、挿抜方向と交差する方向への相対的移動が円滑となる。
【０１００】
なお、本開示は一例にすぎず、本開示の趣旨を保った適宜変更であって当業者が用意に想到し得るものは本開示の範囲に含まれる。図面で示す各部の幅、厚さ及び形状等は模式的に表されており、本開示の解釈を限定するものではない。
【０１０１】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【０１０２】
本開示は、中継コネクタ及びコネクタ組立体に適用することができる。
【符号の説明】
【０１０３】
２００  コネクタ組立体
１００  中継コネクタ
１  第１コネクタ
２  第２コネクタ
５  第１相手コネクタ
５０  第１相手ハウジング
５２  嵌合凹部  ５２ａ、５２ｂ  傾斜部
５３  底部  ５３ａ  端子取付孔
５１  第１相手端子
５４  端子テール部
６  第２相手コネクタ
６０  第２相手ハウジング
６２  嵌合凹部
６３  底部  ６３ａ  端子取付孔
６１  第２相手端子
６４  端子テール部
１０  第１ハウジング
１１  側面
１２  上面
１２１  第１相手端子挿通孔
１２２  ランス形成孔
１３  下面
１３１  第１端子挿通孔
１４  ランス
１５  第１端子収容通孔
１１１  第１ホルダ―プレート取付部
１１２  第１アーム収容凹部、  １１２ａ  側凹部
１１３  第１アーム押さえリブ  １１３ａ  内側縁部
１１４  第１アーム取付溝
１１５  ランス形成横孔
１２２  ランス形成孔
２０  第２ハウジング
２１  側面
２１１  第２ホルダプレート取付部
２１２  第２フック部収容凹部
２１３  第２フックアーム押さえ
２１４  第２フックアーム挿通孔
２１５  ランス形成横孔
２２  下面
２２１  第２相手端子挿通孔
２２２  ランス形成孔
２３  上面
２３１  第２端子挿通孔
２４  ランス
２５  第２端子収容通孔
３０  ハウジングホルダ
３１  ホルダプレート
３２  取付板
３２１  第１取付部
３２２  第２取付部
３２３  第１アーム  ３２３ａ、３２３ｂ  切り欠き  ３２３ｃ  外側縁部  ３２３ｄ  内側縁部
３２４  第１フック部  ３２４ａ  操作孔
３２６  切り欠き部
３２７  第２弾性アーム
３２８  第２フックアーム  ３２８ａ  突片
３２９  第２フック部  ３２９ａ  テーパ
３３  支持板
３３１  第１支持端縁
３３２  第２支持端縁
４０  中継導通部
４１  電線
４１１  芯線
４１２  被覆
４２  第１端子
４２１  接触片
４２２  本体部
４２３  芯線圧着部
４２４  被覆圧着部
４２５  突片
４３  第２端子
【図１】
2019216096.tif 000003
【図２】
2019216096.tif 000004
【図３】
2019216096.tif 000005
【図４】
2019216096.tif 000006
【図５】
2019216096.tif 000007
【図６】
2019216096.tif 000008
【図７】
2019216096.tif 000009
【図８】
2019216096.tif 000010
【図９】
2019216096.tif 000011
【図１０】
2019216096.tif 000012
【図１１】
2019216096.tif 000013
【図１２】
2019216096.tif 000014
【図１３】
2019216096.tif 000015
【図１４】
2019216096.tif 000016